(57)【要約】      （修正有）【課題】製品及びその広告表示等に購買者の関心を引いて製品の購買意欲を高めるような陳列できる陳列ケースを提供する。【解決手段】正面側に陳列開口部１０を有し、裏面側に起立後壁部１２を有する陳列ケースハウジング１４を有する陳列ケース１であって、陳列ケースハウジング１４の底部に摺動可能に配置され、陳列開口部１０を抜けて前方へ引き出すことができる複数の引出し式の製品並置台１７を有する製品載置部１６と、起立後壁部１２に取り外し可能に取り付けられ、陳列開口部１０の縦幅より小さい縦長さと、陳列開口部１０の横幅より小さい横幅を有する表示領域を有する表示部２０，２２であって、製品載置部１６の上方において少なくとも一つの製品並置台１７の上方の領域を除いて製品載置部材の上方に配置される表示部２０，２２とを有する。【選択図】図１
0003219328.tif 000002
【実用新案登録請求の範囲】
【請求項１】
正面側に陳列開口部を有し、裏面側に起立後壁部を有する陳列ケースハウジングを有する陳列ケースであって、
前記陳列ケースハウジングの底部に摺動可能に配置され、前記陳列開口部を抜けて前方へ引き出すことができる複数の引出し式の製品並置台を有する製品載置部と、
前記起立後壁部に取り外し可能に取り付けられ、前記陳列開口部の縦幅より小さい縦長さと、前記陳列開口部の横幅より小さい横幅を有する表示領域を有する表示部であって、前記製品載置部の上方において少なくとも一つの前記製品並置台の上方の領域を除いて前記製品載置部材の上方に配置される前記表示部と
を有し、
上方の前記表示部を配置された製品載置領域には前記表示部の下端近傍まで製品を積み上げ、前記表示部のない製品載置領域には前記陳列開口部の高さ全域に製品を積み上げることができることを特徴とする陳列ケース。
【請求項２】
前記表示部が１個あり、前記陳列開口部の中央に配置されたことを特徴とする請求項１に記載の陳列ケース。
【請求項３】
前記表示部が２個あり、前記陳列開口部の左右両側に配置されたことを特徴とする請求項１に記載の陳列ケース。
【請求項４】
前記製品並置台の正面側先端にサブ表示部を設けたことを特徴とする請求項１〜３のうちの一項に記載の陳列ケース。
【請求項５】
前記起立後壁部が、冷気通過開口を有することを特徴とする請求項１〜４のうちの一項に記載の陳列ケース。
【請求項６】
前記陳列ケースハウジングの底部及び前記製品並置台の底部に冷気通過開口を設けたことを特徴とする請求項５に記載の陳列ケース。
【考案の詳細な説明】
【技術分野】
【０００１】
本考案は、食品・薬品・生活用品等の製品が購買者の注目を引き易すくかつ製品の充填を容易に行うことができる陳列ケースに関する。
【背景技術】
【０００２】
従来、大規模食品販売店等において販売のために製品を陳列棚に積み上げている。一方、該製品の性質や利点を購買者に知らせるために、積み上げた製品の前方・上方・下方・側方等にP.O.P.(Point-Of-Purchase)等と呼ばれる表示部材を配置し、購買者の購買意欲を高めている。
【０００３】
従来の陳列ケースとして、前後方向の幅をもつ陳列用棚に製品を並べ、後方から並べられた製品を前方へ押し出すことによって常に製品が陳列ケースの前方縁に存在するようにした商品用陳列ケースが提案されている（例えば、特許文献１参照）。
【０００４】
従来の他の陳列ケースとしては、陳列ケースの載置領域の底部を前方が低くなるように傾斜させ、載置（陳列）された製品が陳列ケースの前方縁の購買者に見易くかつ取り出し易い位置に自動的に移動する陳列容器が提案されている（例えば、特許文献２、３参照）。
【０００５】
一方、陳列ケースあるいは単なる冷蔵装置において、製品載置台や製品収納ケースに冷蔵用冷気が通過する溝や孔を設けることにより製品をより効率的に冷却することが提案されている（例えば、特許文献４，５参照）
【０００６】
また、従来の他の陳列ケースにおいては、陳列された製品のうち例えば新製品を購買者に特に強く認識させるために、陳列棚の先端すなわち購買者縁部に前記P.O.P.等と呼ばれる表示部材を配置したり、陳列ケースの前面の透視窓付き保冷ドアーの該透視窓に目立つ装飾や前記P.O.P.等を貼り付けている。
【先行技術文献】
【特許文献】
【０００７】
【特許文献１】特開２０００−６０６９１号公報
【特許文献２】実用新案登録第３１４９７３０号公報
【特許文献３】意匠登録第１５９７１１２号公報
【特許文献４】特許第５２８６８５３号公報
【特許文献５】特開２０１３−１５５９６５号公報
【考案の概要】
【考案が解決しようとする課題】
【０００８】
上述した従来の陳列ケースにおいては、購買者が陳列された製品を認識することはできるが、例えば新製品等について単なる認識を超えて、より購買意欲を高めることが求められている。
また、製品の展示は、常に陳列領域全体に空間が無く一杯に積み上げておくことが望ましく、しかも陳列ケースへの製品の充填は軽易かつ効率良くなければならない。しかし、従来の陳列ケースでは、そのような目的について特別な配慮がなされていない。
一方、一般的に製品は多数の種類や改造品が順次陳列ケースに充填され、これらの製品は陳列ケースにおいて色々な積み上げ様式で陳列すると多様性があって購買者の関心を引くので望ましいが、そのような構成について特別な配慮がなされていない。
【０００９】
（考案の目的）
本考案は、従来の陳列ケースの上述した問題点に鑑みてなされたものであって、製品及びその広告表示等に購買者の関心を引いて製品の購買意欲を高めるような陳列できる陳列ケースを提供することを目的とする。
また、製品及びその広告表示等の配置や組み合わせを自由に選択でき、さらに軽易かつ効率的に陳列領域に隙間なく整然と積み上げることができる陳列ケースを提供することを目的とする。
【課題を解決するための手段】
【００１０】
本考案は、
正面側に陳列開口部を有し、裏面側に起立後壁部を有する陳列ケースハウジングを有する陳列ケースであって、
前記陳列ケースハウジングの底部に摺動可能に配置され、前記陳列開口部を抜けて前方へ引き出すことができる複数の引出し式の製品並置台を有する製品載置部と、
前記起立後壁部に取り外し可能に取り付けられ、前記陳列開口部の縦幅より小さい縦長さと、前記陳列開口部の横幅より小さい横幅を有する表示領域を有する表示部であって、前記製品載置部の上方において少なくとも一つの前記製品並置台の上方の領域を除いて前記製品載置部材の上方に配置される前記表示部と
を有し、
上方の前記表示部を配置された製品載置領域には前記表示部の下端近傍まで製品を積み上げ、前記表示部のない製品載置領域には前記陳列開口部の高さ全域に製品を積み上げることができることを特徴とする陳列ケースである。
【考案の効果】
【００１１】
本考案によれば、製品及びその広告表示等に購買者の注意を引いて製品の購買意欲を高めるように陳列できる陳列ケースを構成することができる。
本考案によればまた、製品及びその広告表示等の配置や組み合わせを自由に選択でき、かつ効率的に陳列領域に隙間なく整然と積み上げることができる陳列ケースを構成することができる。
【図面の簡単な説明】
【００１２】
【図１】本考案の陳列ケースの第１実施例の正面側斜視図である。
【図２】本考案の陳列ケースの第１実施例の底面側斜視図である。
【図３】本考案の陳列ケースの第１実施例の背面側斜視図である。
【図４】本考案の陳列ケースの第１実施例において製品載置部の製品並置台を引き出した状態の正面側斜視図である。
【図５】本考案の陳列ケースの第１実施例の使用状態の正面側斜視図である。
【図６】本考案の陳列ケースの第２実施例の正面側斜視図である。
【図７】本考案の陳列ケースの第３実施例の正面側斜視図である。
【考案を実施するための形態】
【００１３】
以下に、本発明の実施の形態について説明する。
（第１実施例）
第１実施例の陳列ケース１は、スーパーマーケットやコンビニエンスストアー等の店舗内の冷凍ショーケース内に配置される。陳列ケース１は、図１〜３に示すように、正面側に陳列開口部１０を有し、裏面側に起立後壁部１２を有する陳列ケースハウジング１４を有する。起立後壁部１２には、溝形や丸孔形の複数の冷気通過開口１３が形成されている。製品載置部１６の製品並置台１７の各々の前端には、サブ表示部３０が形成されている。
陳列ケースハウジング１４の底部には、図４に示すように、陳列開口部１０を抜けて前後方向に摺動可能である引き出し式の製品並置台１７が複数個配置されている。陳列ケースハウジング１４の底部及び製品並置台１７の底部には、溝形や丸孔形の複数の冷気通過開口１５が形成されている。製品並置台１７の製品載置領域の前後方向の長さは、製品の長さ方向の整数倍が好ましい。
【００１４】
陳列開口部１０の左右の上方には、表示部２０、２２が配置されている。表示部２０，２２は、表示直方体２４，２６の前面に形成されている。表示直法体２４，２６は、起立後壁部１２にネジ２７によって取り外し可能に固着されている。表示部２０、２２には製品名・製品の特徴・販売価格等が表示される。
【００１５】
表示直方体２４，２６の横幅は陳列開口部１０の横幅より小さく、例えば製品載置部１６の幅の整数倍であることが好ましい。表示直法体２４，２６の縦幅は、例えば陳列される製品Ｐの高さの整数倍であることが好ましい。
表示直方体２４，２６の前後方向の長さは、製品並置台１７の前後方向の長さより製品Ｐの前後方向の長さの約１個分だけ短いことが好ましい。このようすることにより陳列ケースにおいて製品が表示部２０，２２に対し１個前に積み上がられ、製品が表示部２０，２２より顕著になりかつ陳列に立体感が発生する利点がある。
【００１６】
陳列ケース１には、図５に示すように、起立後壁部１２に表示直方体２４，２６を取り付ける。製品並置台１７を前方すなわち手前に引き出しで製品Ｐを積み上げた後、製品並置台１７を起立後壁部１２に突き当たるまで押し込む。
【００１７】
（第２実施例）
第２実施例の陳列ケース１００は、スーパーマーケットやコンビニエンスストアー等の店舗内の冷凍ショーケース内に配置され、図６に示すように、陳列開口部１１０に表示部１２０，１２２が対称的に配置されている。表示部１２０及び１２２の間には、製品Ｐが陳列開口部１１０の全高さまで積み上がられている。このように陳列することによって中央に積み上がられた製品Ｐは非常に顕著になり、また陳列ケースが整然とした印象を与える。
【００１８】
（第３実施例）
第３実施例の陳列ケース２００は、スーパーマーケットやコンビニエンスストアー等の店舗内の冷凍ショーケース内に配置され、図７に示すように、陳列開口部２１０の中央に表示部２２０が配置される。陳列開口部２１０の上方の左右両側は、製品Ｐが陳列開口部１１０の全高さまで積み上がられる。その結果、陳列開口部２１０の中央の表示部２２０が非常に顕著になり、表示部２２０の広告効果等が大きくなる。
存在する。
【符号の説明】
【００１９】
１，１００，２００                              陳列ケース
１０，１１０，２１０                            陳列開口部
１２                                            起立後壁部
１６，１１６，２１６                            製品載置部
１７，１１７，２１７                            製品並置台
２０，２２，１２０，１２２，２１０，２１２      表示部
２４，２６、１２４，１２６、２２４，２２６      表示直方体
【図１】
0003219328.tif 000003
【図２】
0003219328.tif 000004
【図３】
0003219328.tif 000005
【図４】
0003219328.tif 000006
【図５】
0003219328.tif 000007
【図６】
0003219328.tif 000008
【図７】
0003219328.tif 000009